(57)【要約】      （修正有）【課題】スタンドがデスクトップに置いて使え、燈板が座体の上に収攬されて又は座体と角度に構成され、燈板と座体との間に連接部材とする回転軸によって連結されて、また燈板が回転され、照明の範囲が変更されて、座体上の掛穴によってスタンドが鈎状物に掛けさせて使え、また、掛穴の側に開口が設けられ、開口部が弾性的に閉鎖され、スタンドが桿状物に掛けて使えるようにした複数機能の掛式スタンドを提供する。【解決手段】上半分部に掛穴が設けられる座体１と、前記座体１の上半分部を回って回転される燈板３と、を具備するようにした複数機能の掛式スタンド。【選択図】図８
0003181815.tif 000002
【実用新案登録請求の範囲】
【請求項１】
上半分部に一掛穴が設けられる一座体と、前記座体の上半分部を回って回転される一燈板と、を具備することを特徴とする複数機能の掛式スタンド。
【請求項２】
前記掛穴の一側に一開口が設けられ、開口部に前記開口を弾性的に閉鎖する一バネ片が設けられることを特徴とする請求項１記載の複数機能の掛式スタンド。
【請求項３】
前記座体の正面に一凹み溝が設けられ、前記燈板の形が凹み溝の形に合って配合されることを特徴とする請求項１記載の複数機能の掛式スタンド。
【請求項４】
前記燈板と座体との間に一連接部材が設けられ、前記連接部材の両端がそれぞれ座体の凹み溝の上半分部の両側に連結されることを特徴とする請求項３記載の複数機能の掛式スタンド。
【請求項５】
前記燈板の一端と連接部材の中央部が一回転軸によって連結されることを特徴とする請求項４記載の複数機能の掛式スタンド。
【請求項６】
前記座体に一左ケースと一右ケースを有して、左ケースと右ケースとの間に電子部品を収容する空洞が構成され、左ケースと右ケースの上部にそれぞれ一フックが設けられて、前記フックがＬ形に設けられ、左ケースまたは右ケースの上端の一側から垂直的に上方向に向いて延伸され、再びもう一側に水平的に延伸されて、左ケースと右ケースのもう一側にそれぞれ上方向に向く一突起が設けられて、フックの末端が左ケースまたは右ケースの突起との間に一開口が設けられて、左ケースと右ケースが閉め付けられてから、二つのフックと座体との間に掛穴が構成されることを特徴とする請求項１記載の複数機能の掛式スタンド。
【請求項７】
前記フックがそれぞれ左ケースまたは右ケースの上部と一体に構成されることを特徴とする請求項１記載の複数機能の掛式スタンド。
【請求項８】
左ケースと右ケースの開口部に開口を弾性閉鎖する一閉鎖部材が設けられて、当閉鎖部材に一ばね片と一止め金と一ひねりばねを有して、ばね片の底部に二つのリップが設けられて、当二つのリップにそれぞれ一穿孔が設けられて、捻りばねが二つのリップの間に設置され、止め金が別々に左リップの穿孔と右リップの穿孔と捻りばねの中に指し通られ、止め金の両端部がそれぞれ左ケースと右ケースの突起に固定されることを特徴とする請求項６記載の複数機能の掛式スタンド。
【請求項９】
前記座体の正面に細長い形の一凹み溝が設けられ、凹み溝の上部に位置する左右両側に別々一ピボット穴が設けられて、前記連接部材に一ケースと一第一固定部材と一第二固定部材と一回転軸とを有し、当ケースが凹み溝の上部に設置され、ケースの左右両側と凹み溝の左右両側に位置するピボット穴との間にそれぞれ一ピボットによって連結されて、ケースの中部にスルーホールが設けられ、回転軸が当スルーホールの中に突き抜けられて、回転軸の一端が第一固定部材の一端と連結され、第一固定部材のもう一端がケースの中に固定され、第二固定部材の一端が回転軸のもう一端に嵌めて連結され、第二固定部材が回転軸を回って回転され、第二固定部材のもう一端が燈板に固定して連結されることを特徴とする請求項４記載の複数機能の掛式スタンド。
【請求項１０】
前記燈板に一上ケースと一下ケースを有して、上ケースと下ケースの末端にそれぞれ発光体を組立てる取付穴が設けられて、上ケースと下ケースの取付穴が対称的に位置されることを特徴とする請求項１から請求項９のうちいずれか一項に記載の複数機能の掛式スタンド。
【考案の詳細な説明】
【技術分野】
【０００１】
本考案は小型家電に関し、特にスタンドに関連する。
【背景技術】
【０００２】
スタンドは家庭やホテルなどの不可欠の用品の一つである。既存のよくあるスタンドは、台座と、柔らかい灯柱と、灯柱の上端に連結されるソケットと、を有す。ソケットが通常ラッパ形に設けられ、電球が内装される。このスタンドの構造は簡単であり、人々にデスクトップの上に置いて使用させる。しかし、このスタンドは掛けられないために、必要な場合か掛けて使用したい場所で、例えば集合寮にある上下構造の鉄床にスタンドを使いたい時、このスタンドが直接に使えなく、ひもで鉄欄干に縛るしかないから、使用が不便で安全も保障しない。だから、このスタンドの使用場所が制限に受ける。
【考案の概要】
【考案が解決しようとする課題】
【０００３】
本考案の目的としては複数機能の掛式スタンドを提供して、背景技術に存在される上述の問題を解決しようとする。本考案の複数機能の掛式スタンドはデスクトップの上に使えるだけでなく、サスペンションにも使える。
【課題を解決するための手段】
【０００４】
上半分部に掛穴が設けられる座体と、前記座体の上半分部を回って回転される燈板と、を具備するようにした複数機能の掛式スタンド。
【０００５】
前記掛穴の一側に一開口が設けられ、開口部に前記開口を弾性的に閉鎖する一バネ片が設けられる。
【０００６】
前記座体の正面に一凹み溝が設けられ、前記燈板の形が凹み溝の形に合って配合される。
【０００７】
前記燈板と座体との間に一連接部材が設けられ、前記連接部材の両端がそれぞれ座体の凹み溝の上半分部の両側に連結される。
【０００８】
前記燈板の一端と連接部材の中央部が回転軸によって連結される。
【０００９】
前記座体に一左ケースと一右ケースを有して、左ケースと右ケースとの間に電子部品を収容する空洞が構成されて、左ケースと右ケースの上部にそれぞれ一フックが設けられて、前記フックがＬ形に設けられて、前記フックが左ケースまたは右ケースの上端の一側から垂直的に上方向に向いて延伸され、再びもう一側へ水平的に延伸されて、左ケースと右ケースのもう一側にそれぞれ一突起が設けられて、フックの末端が左ケースまたは右ケースの突起との間に一開口が設けられて、左ケースと右ケースが閉め付けられてから、二つのフックと座体との間に一掛穴が構成される。
【００１０】
前記フックがそれぞれ左ケースまたは右ケースの上部と一体に構成される。
【００１１】
左ケースと右ケースの開口部に開口を弾性閉鎖する一閉鎖部材が設けられて、当閉鎖部材に一ばね片と一止め金と一捻りばねを有して、ばね片の底部に二つのリップが設けられて、当二つのリップにそれぞれ一穿孔が設けられて、捻りばねが二つのリップの間に設置され、止め金が別々に左リップの穿孔と右リップの穿孔と捻りばねの中に挿し通られ、止め金の両端部がそれぞれ左ケースと右ケースの突起に固定される。
【００１２】
前記座体の正面に細長い形の一凹み溝が設けられ、凹み溝の上部に位置する左右両側に別々一ピボット穴が設けられて、前記連接部材にケースと第一固定部材と第二固定部材と回転軸を有し、当ケースが凹み溝の上部に設置され、ケースの左右両側と凹み溝の左右両側のピボット穴との間にそれぞれピボットによって連結されて、ケースの中部にスルーホールが設けられ、回転軸が当スルーホールの中に突き抜けられて、回転軸の一端が第一固定部材と連結され、第一固定部材のもう一端がケースの中に固定され、第二固定部材の一端が回転軸のもう一端に嵌めて連結され、第二固定部材が回転軸を回って回転され、第二固定部材のもう一端が燈板と固定して連結される。
【００１３】
上記の説明から分かって、本考案は上半分部に掛穴が設けられる座体と、前記座体の上半分部に沿って回転される燈板と、を具備するようにした複数機能の掛式スタンドを提案する。通常、当スタンドの燈板が座体の上に収攬されて、或いはその燈板が座体と角度に構成されるので、当スタンドがデスクトップに置けて使える。当スタンドの燈板と座体との間に連接部材とする回転軸によって連結されるから、燈板が回転され、当スタンドの照明の範囲が変更される。当スタンドの座体上の掛穴によって当スタンドが鈎状物に掛けさせて使える。当スタンドの座体上の掛穴の側に開口が設けられて、開口部が弾性的に閉鎖されるために、当スタンドが桿状物に掛けさせて使える。従って、本考案のスタンドは多種照明方式や使用方法を具備する。
【図面の簡単な説明】
【００１４】
【図１】本考案の複数機能の掛式スタンドの展開図を示す図である。
【図２】本考案の使用状態の１を示す図である。
【図３】フック部の一部拡大展開図を示す図である。
【図４】図２のＡ部の増幅構造を示す図である。
【図５】本考案の一部拡大展開図の１を示す図である。
【図６】本考案の使用状態の２を示す図である。
【図７】本考案の一部拡大展開図の２を示す図である。
【図８】本考案の使用状態の３を示す図である。
【図９】本考案の一部組立構造を示す図である。
【考案を実施するための形態】
【００１５】
本考案の具体的な実施例を図１から８図まで参照して、複数機能の掛式スタンドが座体１と連接部材２と燈板３から構成される。
【００１６】
座体１がほぼ直方体の柱形に設計されて、その上端が小さく設けられ、下端が大きく設けられる。このように座体１がデスクトップに安定して置ける。当座体１が左ケース１１と右ケース１２が左右に掛け合せて構成される。左ケース１１と右ケース１２との間に空洞が構成され、空洞の内に充電式電池１４や充電回路基板１５やＬＥＤ駆動基板１６やボタンスイッチ１７やボタン１８など素子が収容される。当部分の内容は既存の技術で、且つ本考案の重点ではなく、したがって詳しく述べない。座体１に回転軸固定座１９も設けられる。
【００１７】
左ケース１１の上半分部１１０と右ケース１２の上半分部１２０にそれぞれフック１１１とフック１２１に設けられる。フック１１１又はフック１２１がほぼＬ形に設けられ、左ケース１１又は右ケース１２の上端の一側から垂直的に上方向に向いて延伸され、再び水平にもう一側に延伸されて、最後もう一側に下方向に向いて延伸され、それぞれ下方向に向く突起の末端１１１１と１２１１が構成される。左ケース１１のもう一側に上方向に向く突起１１３が設けられ、右ケース１２のもう一側に上方向に向く突起１２３が設けられて、フック１１１の末端１１１１と左ケース１１の突起１１３との間に開口１１２が構成され、フック１２１の末端１２１１と右ケース１２の突起１２３との間に開口１２２が構成され、フック１１１又はフック１２１が左ケース１１又は右ケース１２の上半分部と一体に構成される。左ケース１１と右ケース１２が閉め付けられてから、フック１１１及びフック１２１が座体１との間に掛穴１０が構成される。左ケース１１と右ケース１２の下半分部にボタン１８を放置する組立穴１２７が構成される。
【００１８】
左ケース１１の開口１１２と右ケース１２の開口１２２に開口１１２と開口１２２を弾性閉鎖する閉鎖部材１３も設けられる。当閉鎖部材１３にばね片１３１と止め金１３２と捻りばね１３３を有す。当ばね片１３１の横幅が約左ケース１１と右ケース１２との加わる厚さと等しい。こんなに開口１１２と開口１２２が完全に閉鎖される。ばね片１３１の底部に二つのリップが設けられ、即ち左リップ１３１１と右リップ１３１２が設けられて、当二つのリップにそれぞれ穿孔が設けられる。捻りばね１３３が当二つのリップの間に設けられ、止め金１３２が左リップ１３１１の穿孔を通して捻りばね１３３の中に挿し込んでから、右リップ１３１２の穿孔を通して、止め金１３２の両端がそれぞれ左ケース１１の突起１１３と右ケース１２の突起１２３の上に固定される。
【００１９】
右ケース１２の正面に細長い形の凹み溝１２４が設けられ、凹み溝１２４の上部の左右両側に別々ピボット穴１２５が設けられて、連接部材２にケース２１と第一固定部材２２と第二固定部材２４と回転軸２３を有す。当ケース２１が凹み溝１２４の上部に設置される。ケース２１の左右両側と凹み溝１２４の左右両側のピボット穴１２５との間にそれぞれピボット１２６によって連結されて、ケース２１がピボット穴１２５を中心として回転される。ケース２１の中部にスルーホール２１１が設けられ、回転軸２３が当スルーホール２１１の中を通させていく。回転軸２３の一端が第一固定部材２２の一端に連結され、第一固定部材２２のもう一端がケース２１の中に固定され、第二固定部材２４の一端が回転軸２３のもう一端に嵌めて連結され、第二固定部材２４が回転軸２３を回って回転され、第二固定部材２４のもう一端が燈板３の内部に固定して連結される。
【００２０】
燈板３の形状が凹み溝１２４に合せて且つ当凹み溝１２４の中に放置される。燈板３に上ケース３１と下ケース３３を有し、上ケース３１と下ケース３３との間にＬＥＤ色温度や明るさを調整するためのＬＥＤ回路基板３２が設けられる。上ケース３１の末端にＬＥＤを取付けるための組立穴３１１が設けられ、下ケース３３の末端にＬＥＤを取付けるための組立穴３３１が設けられ、組立穴３１１が組立穴３３１と対応して位置される。
【００２１】
使用時には、図２のように、燈板３が座体１の凹み溝１２４の中に収容され、この時にＬＥＤ照明が上ケース３１の組立穴３１１の中から出されて、これを第一の使用状態とする。
【００２２】
図６のように、燈板３が外側と上方へ挙がって、燈板３が連接部材２と一緒にピボット穴１２５を回って回転されて、燈板３が座体１との間に夾角に構成されて、この時に照明が上ケース３１の組立穴３１１及び下ケース３３の組立穴３３１の中からそれぞれ上方と下方へ出されて、これを第二の使用状態とする。
【００２３】
図８のように、第二の使用状態で、燈板３が回転軸２３を円心として９０度に回転されて、燈板３が水平方向から垂直方向へ変換されて、この時に照明が上ケース３１の組立穴３１１及び下ケース３３の組立穴３３１の中からそれぞれ左方と右方へ出されて、これを第三の使用状態とする。
【００２４】
サスペンションの使用時にして、二種類の方式を有す。壁などの環境でフックなど物を有す時、直接に掛穴１０がフックなどの物に掛けられて、図８のように、若し環境にフックなどの物がないと、バーなどの桿状物だけを有し、開口１１２と１２２が桿状物に合わせて、ばね片１３１が内側と下方へ偏向して回転され、桿状物が掛穴１０に完全に設置され、十分安全に使用される。
【００２５】
以上で述べたのはわずか本考案の一つの具体的な実施の形態だけである。しかし、本考案のデザインアイディアはこれに限定されるものではなく、すなわち、本考案のアイディアに基づいて変形させることが可能であり、それらは本考案の範囲から排除するものではない。
【符号の説明】
【００２６】
１  座体
１０  掛穴
１１  左ケース
１２  右ケース
１３  閉鎖部材
１４  充電式電池
１５  充電回路基板
１６  ＬＥＤ駆動基板
１７  ボタンスイッチ
１８  ボタン
１９  回転軸固定座
２  連接部材
２１  ケース
２２  第一固定部材
２３  回転軸
２４  第二固定部材
３  燈板
３１  上ケース
３２  ＬＥＤ回路基板
３３  下ケース
【図１】
0003181815.tif 000003
【図２】
0003181815.tif 000004
【図３】
0003181815.tif 000005
【図４】
0003181815.tif 000006
【図５】
0003181815.tif 000007
【図６】
0003181815.tif 000008
【図７】
0003181815.tif 000009
【図８】
0003181815.tif 000010
【図９】
0003181815.tif 000011